(57)【特許請求の範囲】
【請求項１】
原稿等を読み取るための密着型センサーと、線状光源と、該線状光源を消灯させた状態での密着型センサー出力である暗出力電位から線状光源を点灯させた状態での黒原稿読み取り時の密着型センサー出力である黒原稿出力電位までの増加分を予め求めておき、前記密着型センサーの複数ヶ所の暗出力電位を複数回読みだし、その読み出した暗出力電位の平均を求め、上記増加分と上記平均値とを加算することにより定められた黒基準レベルを用いて密着型センサーの出力を判定する読み取り手段とを具備した原稿読取装置。
【請求項２】
線状光源を消灯させた状態での密着型センサー出力である暗出力電位から線状光源を点灯させた状態での黒原稿読み取り時の密着型センサー出力である黒原稿出力電位までの増加分を予め求める工程と、密着型センサーの複数ヶ所の暗出力電位を複数回読みだす工程と、その読み出した暗出力電位の平均を求める工程と、上記増加分と上記平均値との和を求め黒基準レベルを決定する工程とを具備したことを特徴とする原稿読取装置の調整方法。
【発明の詳細な説明】
【０００１】
【産業上の利用分野】
本発明はファクシミリ装置等に好適な原稿読取装置および原稿読取装置の調整方法に関する。
【０００２】
【従来の技術】
従来よりＣＣＤや密着型センサーを用いた原稿読取装置においては、原稿の読み取りに際して、読み出しの基準レベルを定めており、例えば密着型センサーにおいては、特開平４−７９５４号に示されるように、センサーの特別な位置に真っ暗な状態を形成して、その信号を用いて基準レベルや感度の較正をするようにしている。しかしセンサーの一部を覆うと有効読み取り長さが短くなると共に、密着型センサーの経時的な変動は較正できても、密着型センサーそのもの、言い換えると密着型センサー固有の特性バラ付きは較正が困難となっていた。
【０００３】
すなわち、ＣＣＤのように読み取り部分が小さい領域に集中している読み取りセンサーと異なり、密着型センサーは例えばＢ４対応であれば２６０ｍｍ前後の有効読み取り幅全体に読み取り部分が分布しているので、密着型センサー毎の特性のバラつきが多い。このため例えば同一機種のファクシミリ装置を何千台か製造しようとしたときその１台１台において基準レベル調整が必要であり、これは例えば読み取り長さの端縁を黒色樹脂で覆っただけでは、その端縁のセンサー部分が密着型センサー全体の特性を必ずしも代表してなく、その密着型センサーの特性のバラ付きを補正することにはならなかった。
【０００４】
そこで従来は、少なくとも密着型センサーをファクシミリ装置などに組み込んだ直後に、オペレータの操作によって標準黒又は標準原稿を基に機器毎の黒基準レベルを設定し、その後中間調標準原稿の複写によって中間調の濃淡を判定し、その中間調の濃淡が適正になるまで先の黒基準レベルの微調整を繰り返す作業が必要となっていた。
【０００５】
【発明が解決しようとする課題】
しかしながらこの様な黒基準レベルの調整設定は煩雑であり、オペレータの経験と恣意によって調整時間や調整結果にムラが生じることとなるので、好ましいものではなかった。
【０００６】
【課題を解決するための手段】
本発明は上述の点を考慮してなされたもので、原稿等を読み取るための密着型センサーと、線状光源と、該線状光源を消灯させた状態での密着型センサー出力である暗出力電位から線状光源を点灯させた状態での黒原稿読み取り時の密着型センサー出力である黒原稿出力電位までの増加分を予め求めておき、前記密着型センサーの複数ヶ所の暗出力電位を複数回読みだし、その読み出した暗出力電位の平均を求め、上記増加分と上記平均値とを加算することにより定められた黒基準レベルを用いて密着型センサーの出力を判定する読み取り手段とを具備したものである。
【０００７】
また本発明は、線状光源を消灯させた状態での密着型センサー出力である暗出力電位から線状光源を点灯させた状態での黒原稿読み取り時の密着型センサー出力である黒原稿出力電位までの増加分を予め求める工程と、密着型センサーの複数ヶ所の暗出力電位を複数回読みだす工程と、その読み出した暗出力電位の平均を求める工程と、上記増加分と上記平均値との和を求め黒基準レベルを決定する工程とで調整するものである。
【０００８】
【作用】
この様に密着型センサーの暗出力電位を基に黒基準レベルが定められるので、密着型センサー毎の特性に合わせた原稿読み取りが行え、また複数ケ所複数回の暗出力電位に基づく調整方法は客観的で速やかな調整ができる。
【０００９】
【実施例】
図１は本発明実施例の原稿読取装置のブロック図で、１は原稿、新聞、雑誌等の読み取り個所を照明する線状光源であり、円柱状棒状レンズを有した発光ダイオードアレイ、冷陰極管などからなる。２は、原稿等を読み取るための密着型センサーで、２０４８ドット分の受光素子アレイとその電荷を運ぶレジスタなどが内蔵されており、線状光源１で照明された原稿などの照明位置の明暗を読み取るように配置されている。
【００１０】
３は、その密着型センサー２の暗出力電位の大きさに基づいて定められた黒基準レベルを用いて密着型センサー２の出力を判定する読み取り手段で、画像処理部と符号化部を有し読み取った画信号情報をデータバス（図示せず）を介して出力しているが、マイクロコンピュータで構成してもよく、さらにはファクシミリ装置などの機器本体を制御するセントラルプロセッシングユニットで直接処理を行ってもよい。この読み取り手段３は密着型センサー２にクロックを与えその出力（画素出力）を読み出し、レベル判定や位置情報付加、あるいは画信号符号化を行うものであるが、線状光源１の点灯制御や原稿送りモータ４や原稿有無センサー（図示せず）等の制御も行ってよい。
【００１１】
この様な読み取り手段３における原稿読取装置の調整ステップについて図２に基づいて説明する。この様な調整ステップは、原稿読取装置がファクシミリ装置などに取りつけられたとき、若しくは交換された時などに、所定の手続き、例えば読み取り手段３の集積回路の調整開始端子を短絡するとか、ファクシミリ装置の制御手段からの初期化信号によってトリガされて自走するように構成されるのが好ましい。
【００１２】
調整ステップの開始において、ＡＧＣのレベルが決定され、必要ならば線状光源を点灯し密着型センサーから出力が得られることを確認する試運転（ステップＳ２）が行われる。次いで密着型センサーの複数ケ所の暗出力電位を複数回読みだす（Ｓ３〜５）ことがなされるが、これは具体的には線状光源１を消灯させ、この状態での密着型センサー２の出力を繰り返して読み出し特定個所のデータを記憶するものである。例えば図１の密着型センサー２の中央と両端部近傍の３ケ所（図で＋印を付した部分）について１６回読み出している（図２でｉをカウンターとして用いている点）。複数の個所を読み出すのは、画素一走査線上の特定の１点では一走査のバラ付き、つまり密着型センサー毎の固有の特性が判定できないからであり、複数回読み取るのは供給電圧の変動や供給電圧などに混在したノイズなどにより画素出力が影響されるので、これらのバラ付きや影響を少なくし若しくは平均化するように行う処理である。
【００１３】
次いで、その読み出した暗出力電位の平均を求める処理を行う（Ｓ６）が、３ケ所×１６回＝４８のサンプル暗出力電位について単純に平均化演算してもよいし、中央と端の区別をして一定の重み付けをしてから平均化演算してもよい。一般には単純平均化演算で差し支えはない。そしてその平均暗出力電位に所定の演算を行って黒基準レベルを決定する（Ｓ７）。これは線状光源１を点灯し黒原稿（ＯＤ値１．７）を密着型センサー２で読み取らせた場合、その画素出力には、密着型センサー２の受光素子部分に、原稿で光の完全吸収がなされなかった反射光や他の反射光などが入り込んでくるため、通常暗出力電位よりも高い値となることを考慮して決定される。従って、黒基準レベルを簡単に設定するには、線状光源１点灯による黒原稿読み取り時の増加分を実験的に予め求めておき、計算された平均値にその増加分を加算するだけでもよい。
【００１４】
このように黒基準レベルが設定された後、線状光源１を点灯させ、標準白原稿若しくは原稿読取部の白色ガードなどにより、密着型センサー２の読み取りを行わせ、その画信号の出力レベルからシェーデング波形を演算し、この波形数値を記憶する（Ｓ８〜９）。
【００１５】
この様な調整ステップの後、実際のファクシミリ通信などにおいて読み取り手段３は、原稿等を原稿送りモータ４で搬送しながら、その密着型センサー２の暗出力電位の大きさに基づいて定められた黒基準レベルを用いて密着型センサーの出力を判定し、符号化してバスラインを介してネットワークコントロールユニットなどに画信号を送出する。
【００１６】
【発明の効果】
以上の如くにより、本発明によれば、密着型センサー毎の特性に合わせた原稿読み取りが行え、それは客観的で速やかな調整となるので、オペレータの経験と恣意によって調整時間や調整結果にムラが生じることはない。
【図面の簡単な説明】
【図１】本発明実施例の原稿読取装置のブロック図である。
【図２】本発明実施例の原稿読取装置の調整方法のフローチャートである。
【符号の説明】
１  線状光源
２  密着型センサー
３  読み取り手段
【図１】
0003767922.tif 000002
【図２】
0003767922.tif 000003